(57)【要約】  伸縮式デバイスは、第１の端部、第２の端部、及び長手方向軸を有する本体を有する。本体は、拡張構成と折り畳み構成との間で移動可能である。ボタンは、本体の第１の端部に結合され、内面と、内面によって担持される係合部材とを有する。プラットフォームは、外面と、外面から延伸するカラーとを有し、カラーは、キャビティを規定する。ロックデバイスは、本体の第２の端部によって担持され、ロックデバイスの一部は、本体をプラットフォームに解放可能に結合するために、プラットフォームのキャビティ内に取り外し可能に配置されるように適合される。本体が折り畳み構成にあるとき、ボタンの係合部材はロックデバイスに係合し、これにより、ロックデバイスは非ロック構成とロック構成との間でプラットフォームに対して回転可能である。
2021501862.tif 000002
【特許請求の範囲】
【請求項１】
ポータブル電子デバイス用の伸縮式デバイスであって、
第１の端部、第２の端部、及び長手方向軸を有する本体であって、拡張構成と折り畳み構成との間で移動可能である本体と、
前記本体の前記第１の端部に結合されるボタンであって、内面及び前記内面によって担持される係合部材を有するボタンと、
外面及び前記外面から延伸してキャビティを規定するカラーを有するプラットフォームと、
前記本体の前記第２の端部によって担持されるロックデバイスであって、少なくとも一部が、前記本体を前記プラットフォームに解放可能に結合するために、前記プラットフォームの前記キャビティに取り外し可能に配置されるように適合されるロックデバイスと
を含み、
前記本体が前記折り畳み構成にあるとき、前記ボタンの前記係合部材は前記ロックデバイスに係合し、これにより、前記ロックデバイスは、前記本体が前記プラットフォームから取り外し可能な非ロック構成と、前記本体が前記プラットフォームに固定されるロック構成との間で、前記プラットフォームに対して回転可能である、
デバイス。
【請求項２】
前記ロックデバイスは、接続ディスクと、前記接続ディスクに取り付けられたハブとを有し、前記ハブは、前記ロックデバイスが前記ロック構成にあるときに前記プラットフォームに結合され、前記ロックデバイスが前記非ロック構成にあるときに前記プラットフォームから取り外し可能である、請求項１に記載のデバイス。
【請求項３】
前記接続ディスクは、前記本体の前記第２の端部に隣接し、前記接続ディスクは、前記ボタンの前記係合部材に係合するように適合される第１の接合面及び前記ハブに接続されるように適合される第２の接合面を含む、請求項２に記載のデバイス。
【請求項４】
前記ハブは、前記接続ディスクに接続するように適合される第１の表面及び前記プラットフォームの第１の部分に結合するように適合される第２の表面を有する本体と、前記ハブの前記本体から延び、前記プラットフォームの別の部分に係合するように適合される放射状ウィングを有する、請求項２に記載のデバイス。
【請求項５】
前記プラットフォームの前記キャビティは、前記本体の前記長手方向軸と整列している、請求項４に記載のデバイス。
【請求項６】
前記プラットフォームは、前記キャビティ内に延びる突起を含み、前記突起は、前記ロックデバイスが前記ロック構成にあるときに前記ハブの前記第２の表面に結合するように適合される、請求項４に記載のデバイス。
【請求項７】
前記ハブは、前記プラットフォームの前記突起に対して摺動するように構成され、前記プラットフォームは、前記ロックデバイスが前記非ロック構成と前記ロック構成との間を移動するときに変形するように構成される、請求項６に記載のデバイス。
【請求項８】
前記プラットフォームは、前記カラーから窪んだベースを含み、前記ベースは、前記キャビティが前記プラットフォームの前記カラーと前記ベースとの間に配置されるように前記キャビティを少なくとも部分的に画定し、前記突起は、前記ベースに形成される、請求項６に記載のデバイス。
【請求項９】
前記プラットフォームは、前記カラーから前記キャビティ内に内向きに延びるシェルフを含み、前記シェルフは、前記ロックデバイスが前記ロック構成にあるときに前記ハブの前記放射状ウィングと係合するように構成される、請求項８に記載のデバイス。
【請求項１０】
前記ロックデバイスが前記ロック構成にあるとき、前記ハブの前記放射状ウィングが前記プラットフォームの前記シェルフの下に配置される、請求項９に記載のデバイス。
【請求項１１】
前記ハブは、前記本体の前記第２の表面に形成された湾曲ノッチを含み、前記ノッチは、前記ロックデバイスが前記ロック構成と前記非ロック構成との間で移動するときに前記プラットフォームの前記突起と係合するように構成される、請求項１０に記載のデバイス。
【請求項１２】
前記プラットフォームの前記ベース及び前記ハブの一部の少なくとも一方は変形可能な弾性材料であり、前記ベース及び前記プラットフォームの少なくとも一方は、前記ロックデバイスが前記非ロック構成から前記ロック構成に移動するときに変形する、請求項８に記載のデバイス。
【請求項１３】
前記接続ディスクの前記第２の接合面は、前記本体の前記第２の端部を通って延びるように適合される、請求項３に記載のデバイス。
【請求項１４】
前記ボタンの前記係合部材は、前記内面から延伸する複数の歯を含む、請求項３に記載のデバイス。
【請求項１５】
前記接続ディスクの前記第１の接合面は、前記ボタンの前記係合部材とインターロックするように配置される、請求項３に記載のデバイス。
【請求項１６】
前記ボタンの前記係合部材が、前記内面から延伸する非円形の歯を含む、請求項３に記載のデバイス。
【請求項１７】
前記接続ディスクは、前記ボタンの前記係合部材の前記非円形突起の形状に対応する形状を有する開口部を含む、請求項１６に記載のデバイス。
【請求項１８】
前記接続ディスクが前記ハブに固定される、請求項２に記載のデバイス。
【請求項１９】
前記本体は、チャンバを画定する可撓性壁を含み、前記ロックデバイスは、少なくとも部分的に前記本体の前記チャンバ内に配置される、請求項１に記載のデバイス。
【請求項２０】
ポータブル電子デバイスを収容するようなサイズのケース本体をさらに含み、前記プラットフォームは、前記ケース本体と一体的に形成される、請求項１に記載のデバイス。
【請求項２１】
伸縮式デバイスをポータブル電子デバイス又はポータブル電子デバイス用のケースに取り付ける方法であって、
第１の本体とプラットフォームとの間に配置されたロックデバイスを介して前記第１の本体を前記プラットフォームに回転可能に結合すること、
前記第１の本体を前記プラットフォームから取り外すこと、
前記第１の本体と異なる第２の本体を前記プラットフォームに回転可能に結合すること
を含む方法。
【請求項２２】
前記第１の本体を回転可能に結合することは、前記第１の本体に取り付けられたボタンが前記ロックデバイスの接合面とインターロックするように前記第１の本体を折り畳むこと、及び前記ボタンを前記ロックデバイスの接合面と係合させることによって前記プラットフォームに対して前記第１の本体を回転させることを含む、請求項２１に記載の方法。
【請求項２３】
前記第１の本体を前記プラットフォームから取り外すことは、前記第１の本体に取り付けられた前記ボタンが前記ロックデバイスの接合面とインターロックするように前記第１の本体を折り畳むこと、及び前記ボタンを前記ロックデバイスの接合面と係合させることによって前記プラットフォームに対して前記第１の本体を回転させることを含む、請求項２２に記載の方法。
【請求項２４】
さらに、前記第１の本体が折り畳み構成にあるときに、前記プラットフォームに対して前記ロックデバイスを回転させることによって、前記第１の本体を前記プラットフォームにロックすることを含む、請求項２１に記載の方法。
【請求項２５】
さらに、前記第１の本体を前記プラットフォームに回転可能に結合する前に、前記ロックデバイスの接続ディスクを前記第１の本体の端部に取り付けることを含む、請求項２４に記載の方法。
【請求項２６】
さらに、前記接続ディスクをハブに取り付け、前記接続ディスクを前記ハブに固定することを含む、請求項２５に記載の方法。
【請求項２７】
前記第１の本体を回転可能に結合することは、前記プラットフォームの開口部を通して前記ハブのウィングをスライドさせることによって前記第１の本体を前記ロックデバイスに最初に結合することと、前記プラットフォームに対して前記第１の本体を回転させて、前記ハブの前記ウィングを前記プラットフォームのシェルフの下に配置することを含む、請求項２６に記載の方法。
【請求項２８】
さらに、前記ポータブルデバイス用のケース本体と一体的に形成された前記プラットフォームを提供することを含む、請求項２１に記載の方法。
【請求項２９】
さらに、前記ポータブルデバイス又はポータブルデバイス用ケースの表面にプラットフォームを取り付けることを含む、請求項２１に記載の方法。
【発明の詳細な説明】
【技術分野】
【０００１】
関連出願の相互参照
本出願は、２０１７年１１月７日に出願された米国仮出願第６２／５８２，９１２号、２０１７年１１月２１日に出願された米国仮出願第６２／５８９，０６８号、及び２０１８年５月３０日に出願された米国非仮出願第１５／９９３，４５８号の優先権を主張し、それぞれの内容全体が、参照により本明細書に組み込まれる。
【０００２】
本開示は、基本的にデバイスに関し、より具体的には、ポータブル電子デバイス又はポータブル電子デバイス用のケースに取り付けられ、グリップ、スタンドとして、又は他の目的のために使用され得る伸縮式デバイスに関する。
【背景技術】
【０００３】
ＭＰ３プレーヤ及びスマートフォンなどのポータブル電子デバイスは、デバイスを損傷から保護し、デバイスを取り扱うためのグリップを提供し、及び／又はある表面上にデバイスを支えるためのスタンドを提供するために、保護カバー又はケースに収容されることが多い。このようなケースなどはデバイスの有効サイズを増加させる。デバイスに直接又はデバイスを保護するケースに取り付けることができる伸縮式デバイスとアクセサリは、デバイスをある表面に支えたり、デバイスを取り扱うための伸縮式グリップを提供したりするなど、さまざまな機能に使用される。伸縮式デバイスには装飾的なボタンがあり、ロゴ、デカール、シンボル、又はその他の芸術的なレンダリングを表示できる。
【発明の概要】
【課題を解決するための手段】
【０００４】
第１の例示的な側面によれば、ポータブル電子デバイス用の伸縮式デバイスは、第１の端部、第２の端部、及び長手方向軸を有する本体を含み得る。前記本体は、拡張構成と折り畳み構成との間で移動可能であり得る。ボタンは、前記本体の前記第１の端部に結合されてもよく、内面と、前記内面によって担持される係合部材とを有し得る。プラットフォームは、外面と、前記外面から延伸するカラーとを有し得る。前記カラーは、キャビティを規定し得る。ロックデバイスは、前記本体の前記第２の端部によって担持され得る。前記ロックデバイスの少なくとも一部は、前記本体を前記プラットフォームに解放可能に結合するために、前記プラットフォームの前記キャビティ内に取り外し可能に配置されるように適合され得る。前記本体が前記折り畳み構成にあるとき、前記ボタンの前記係合部材は前記ロックデバイスに係合し、これにより、前記ロックデバイスは、前記本体が前記プラットフォームから取り外し可能な非ロック構成と、前記本体が前記プラットフォームに固定されるロック構成との間で、前記プラットフォームに対して回転可能であり得る。
【０００５】
第２の例示的な側面によれば、伸縮式デバイスをポータブル電子デバイス又はケースに取り付ける方法は、第１の本体とプラットフォームとの間に配置されたロックデバイスを介して前記第１の本体を前記プラットフォームに回転可能に結合すること、前記第１の本体を前記プラットフォームから取り外すことを含み得る。加えて、前記方法は、前記第１の本体と異なる第２の本体を前記プラットフォームに回転可能に結合することを含み得る。
【０００６】
さらに、前述の第１又は第２の側面のいずれか１つ又は複数によれば、伸縮式デバイス及び／又は伸縮式デバイスを取り付ける方法は、以下の好ましい形態のうちの任意の１つ以上をさらに含み得る。
【０００７】
一つの好ましい形態において、前記ロックデバイスは、接続ディスクと、前記接続ディスクに取り付けられたハブとを有し得る。前記ハブは、前記ロックデバイスが前記ロック構成にあるときに前記プラットフォームに結合され得、前記ロックデバイスが前記非ロック構成にあるときに前記プラットフォームから取り外し可能であり得る。
【０００８】
一つの好ましい形態において、前記接続ディスクは、前記本体の前記第２の端部に隣接し得る。前記接続ディスクは、前記ボタンの前記係合部材に係合するように適合される第１の接合面及び前記ハブに接続されるように適合される第２の接合面を含み得る。
【０００９】
一つの好ましい形態において、前記ハブは、前記接続ディスクに接続するように適合される第１の表面及び前記プラットフォームの第１の部分に結合するように適合される第２の表面を有する本体と、前記ハブの前記本体から延び、前記プラットフォームの別の部分に係合するように適合される放射状ウィングを有し得る。
【００１０】
一つの好ましい形態において、前記プラットフォームの前記キャビティは、前記本体の前記長手方向軸と整列し得る。
【００１１】
一つの好ましい形態において、前記プラットフォームは、前記キャビティ内に延びる突起を含み得る。前記突起は、前記ロックデバイスが前記ロック構成にあるときに前記ハブの前記第２の表面に結合するように適合され得る。
【００１２】
一つの好ましい形態において、前記ハブは、前記プラットフォームの前記突起に対して摺動するように構成され得る。前記プラットフォームは、前記ロックデバイスが前記非ロック構成と前記ロック構成との間を移動するときに変形するように構成され得る。
【００１３】
一つの好ましい形態において、前記プラットフォームは、前記カラーから窪んだベースを含み得、前記ベースは、前記キャビティが前記プラットフォームの前記カラーと前記ベースとの間に配置されるように前記キャビティを少なくとも部分的に画定し得る。前記突起は、前記ベースに形成され得る。
【００１４】
一つの好ましい形態において、前記プラットフォームは、前記カラーから前記キャビティ内に内向きに延びるシェルフを含み得る。前記シェルフは、前記ロックデバイスが前記ロック構成にあるときに前記ハブの前記放射状ウィングと係合するように構成され得る。
【００１５】
一つの好ましい形態において、前記ロックデバイスが前記ロック構成にあるとき、前記ハブの前記放射状ウィングが前記プラットフォームの前記シェルフの下に配置され得る。
【００１６】
一つの好ましい形態において、前記ハブは、前記本体の前記第２の表面に形成された湾曲ノッチを含み得る。前記ノッチは、前記ロックデバイスが前記ロック構成と前記非ロック構成との間で移動するときに前記プラットフォームの前記突起と係合するように構成され得る。
【００１７】
一つの好ましい形態において、前記プラットフォームの前記ベース及び前記ハブの一部の少なくとも一方は変形可能な弾性材料であり得る。前記ベース及び前記プラットフォームの少なくとも一方は、前記ロックデバイスが前記非ロック構成から前記ロック構成に移動するときに変形し得る。
【００１８】
一つの好ましい形態において、前記接続ディスクの前記第２の接合面は、前記本体の前記第２の端部を通って延びるように適合され得る。
【００１９】
一つの好ましい形態において、前記ボタンの前記係合部材は、前記内面から延伸する複数の歯を含み得る。
【００２０】
一つの好ましい形態において、前記接続ディスクの前記第１の接合面は、前記ボタンの前記係合部材とインターロックするように配置され得る。
【００２１】
一つの好ましい形態において、前記ボタンの前記係合部材が、前記内面から延伸する非円形の歯を含み得る。
【００２２】
一つの好ましい形態において、前記接続ディスクは、前記ボタンの前記係合部材の前記非円形突起の形状に対応する形状を有する開口部を含み得る。
【００２３】
一つの好ましい形態において、前記接続ディスクが前記ハブに固定され得る。
【００２４】
一つの好ましい形態において、前記本体は、チャンバを画定する可撓性壁を含み得る。前記ロックデバイスは、少なくとも部分的に前記本体の前記チャンバ内に配置され得る。
【００２５】
一つの好ましい形態において、ケース本体は、ポータブル電子デバイスを収容するようなサイズであり得、前記プラットフォームは、前記ケース本体と一体的に形成される。
【００２６】
一つの好ましい形態において、前記第１の本体を回転可能に結合することは、前記第１の本体に取り付けられたボタンが前記ロックデバイスの接合面とインターロックするように前記第１の本体を折り畳むこと、及び前記ボタンを前記ロックデバイスの接合面と係合させることによって前記プラットフォームに対して前記第１の本体を回転させることを含み得る。
【００２７】
一つの好ましい形態において、前記第１の本体を前記プラットフォームから取り外すことは、前記第１の本体に取り付けられたボタンが前記ロックデバイスの接合面とインターロックするように前記第１の本体を折り畳むこと、及び前記ボタンを前記ロックデバイスの接合面と係合させることによって前記プラットフォームに対して前記第１の本体を回転させることを含み得る。
【００２８】
一つの好ましい形態において、前記方法は、前記第１の本体が折り畳み構成にあるときに、前記プラットフォームに対して前記ロックデバイスを回転させることによって、前記第１の本体を前記プラットフォームにロックすることを含み得る。
【００２９】
一つの好ましい形態において、前記方法は、前記ポータブルデバイス用のケース本体と一体的に形成された前記プラットフォームを提供することを含み得る。
【００３０】
一つの好ましい形態において、前記方法は、ポータブルデバイス又はポータブルデバイス用ケースの表面に前記プラットフォームを取り付けることを含み得る。
【００３１】
一つの好ましい形態において、前記方法は、前記第１の本体を前記プラットフォームに回転可能に結合する前に、前記ロックデバイスの接続ディスクを前記第１の本体の端部に取り付けることを含み得る。
【００３２】
一つの好ましい形態において、前記方法は、前記接続ディスクをハブに取り付け、前記接続ディスクを前記ハブに固定することを含み得る。
【００３３】
一つの好ましい形態において、前記第１の本体を回転可能に結合することは、前記プラットフォームの開口部を通して前記ハブのウィングをスライドさせることによって前記第１の本体を前記ロックデバイスに最初に結合することと、前記プラットフォームに対して前記第１の本体を回転させて、前記ハブの前記ウィングを前記プラットフォームのシェルフの下に配置することを含み得る。
【図面の簡単な説明】
【００３４】
【図１】本開示の教示に従って構築された第１の例示的な伸縮式デバイスの等角図である。
【図２】第１の例示的なボタン、第１の例示的なディスクを有する第１の例示的な本体、第１の例示的なハブ、及び第１の例示的なプラットフォームを含む、図１の伸縮式デバイスの分解図である。
【図３】図１のＩ−Ｉで取られた伸縮式デバイスの正面断面図である。
【図４】図１のＩＩ−ＩＩで取られた伸縮式デバイスの側面断面図である。
【図５】折り畳み構成にある、図１の伸縮式デバイスの正面断面図である。
【図６】図１のボタンの底面図である。
【図７】図１の接続ディスクの上面図である。
【図８】図７の接続ディスクの側面図である。
【図９】図１のハブの等角図である。
【図１０】図９のハブの底面図である。
【図１１】図１のプラットフォームの上面図である。
【図１２】図９のＩＩＩ−ＩＩＩで取られたプラットフォームの側面断面図である。
【図１３】図９のＩＶ−ＩＶで取られたプラットフォームの正面断面図である。
【図１４】本開示の教示に従って構築された第２の例示的な伸縮式デバイスの正面断面図である。
【図１５】図１４の伸縮式デバイスの側面断面図である。
【図１６】図１４の伸縮式デバイスの第２の例示的な接続部の上面図である。
【図１７】本開示の教示に従って構築された一体化伸縮式デバイスを有するポータブル電子デバイス用ケースの等角図である。
【発明を実施するための形態】
【００３５】
図１〜５を参照すると、第１の例示的な伸縮式デバイス１０は、本開示の教示に従って構築される。伸縮式デバイス１０は、ボタン１４と、ボタン１４に取り付けられた本体１８と、ポータブル電子デバイス（図示せず）、ポータブル電子デバイス用のケース、又は他の所望の構成要素に取り付け可能なプラットフォーム２２とを含む。本体１８は、図１〜４に示される拡張構成と、図５に示される折り畳み構成との間で移動可能である。図１では見えないが図２に示されているロックデバイス２４は、本体１８とプラットフォーム２２との間に配置され、本体１８をプラットフォーム２２に回転可能かつ解放可能に結合する。ロックデバイス２４は、本体１８がプラットフォーム２２から取り外し可能な非ロック構成と、本体１８がプラットフォーム２２に固定されるロック構成との間で移動可能である。本体１８が拡張構成にあるとき、本体１８は、プラットフォーム２２及びロックデバイス２４の両方に対する長手方向軸Ａに対して自由に回転することができる。例えば、本体１８が折り畳み構成にあるときのみ、本体１８は、ロックデバイス２４と共に回転するように構成され、したがって、ロックデバイス２４をロック構成から非ロック構成に移動させる。図３〜５を参照すると、ボタン１４の内面３４によって担持される係合部材３０は、デバイス１０が折り畳み構成にあるときに、ロックデバイス２４の接合面３８と係合するように構成される。ボタン１４及び本体１８が折り畳み構成で長手方向軸Ａに対して回転すると、ボタン１４の係合部材３０がロックデバイス２４と係合し、これにより、ロックデバイス２４は、本体１８がプラットフォーム２２から取り外し可能な非ロック構成と、本体１８がプラットフォーム２２に固定されるロック構成との間で、プラットフォーム２２に対して回転可能である。また、ロックデバイス２４は、プラットフォーム２２に対して軸Ａに対して、ロック構成から非ロック構成に回転する。
【００３６】
図２に示されるように、ロックデバイス２４は、ハブ２６と、本体１８に回転可能に接続される接続ディスク２８とを含む。ロック構成では、本体１８は、ロックデバイス２４に対して回転可能であり、したがって、ロックデバイス２４を介してプラットフォーム２２に回転可能に結合される。プラットフォーム２２は、プラットフォーム２２をポータブルデバイス又はポータブルデバイスのケースに取り付けるように適合された接着剤を含み得る取り付け面３９を有する。取り付け面３９は、デバイスに対してプラットフォーム２２を固定して、ロックデバイス２４のロック解除及びロックを容易にする。ハブ２６、接続ディスク２８、ボタン１４、本体１８、及びプラットフォーム２２は、伸縮式デバイス１０がロック構成にあるとき、長手方向軸Ａに対して整列される。
【００３７】
本体１８は、折り畳み可能な壁２０を有するアコーディオン状の構造１８を含むことができる。本体１８は、図１〜４に示される拡張構成と、図５に示される折り畳み構成との間で移動可能である。本体１８は、長手方向軸Ａに関して対称であり、プラットフォーム２２の遠位にある第１の端部４０と、プラットフォーム２２の近位にある第２の端部４２とを含む。ボタン１４が本体１８の第１の端部４０に取り付けられると、本体１８の壁２０及びボタン１４は、チャンバ５６を画定する。本体１８は、本体１８の第２の端部４２に形成される孔５８を含み、これにより、ロックデバイス２４は、本体１８に対して内部及び外部の両方に部分的に配置され得る。本体１８の第２の端部４２において、チャンバ５６は、接続ディスク２８を収容するようなサイズの容積を有する。本体１８は、射出成形、熱成形、又は圧縮成形によって形成することができるポリエステルベースの熱可塑性ポリウレタンエラストマーなどの可撓性材料で作ることができ、又はその意図する目的に適した同等の機能性材料とすることができる。いくつかの場合では、本開示の本体１６は、少なくとも部分的に、Ｐｏｐｓｏｃｋｅｔ（商標）及び／又はポータブルメディアプレーヤー用の拡張本体、例えば米国特許第８，５６０，０３１号、２０１７年１０月１０日に出願された米国出願第１５／７２９，２６０号、２０１８年１月８日に出願された米国出願第１５／８６４，４０２号、及び２０１８年１月８日に出願された米国出願第１５／８６４，５０９号に開示される拡張本体を含み得、それぞれの内容全体が、参照により本明細書に組み込まれる。
【００３８】
図３〜５を参照すると、ロックデバイス２４の接続ディスク２８は、本体１８の第２の端部４２によって担持され、第２の端部４２に隣接して本体１８のチャンバ５６内に配置される。この構成では、接続ディスク２８の接合面３８はボタン１４の内面３４に面し、第２の接合面６０は、ハブ２６に結合するために本体１８の第２の端部４２の孔５８を通って延びる。接続ディスク２８は、本体１８内に配置され、本体１８に対して回転可能である。ボタン１４が本体１８の第１の端部４０に取り付けられ、連結ディスク２８の第１の接合面３８と係合すると、接続ディスク２８は本体１８と共に回転する。
【００３９】
ボタン１４の係合部材３０は、接続ディスク２８の接合面３８と接続するのに特に適合されている。これにより、デバイス１０のロックデバイス２４は、デバイス１０が使用されているときに本体１８がプラットフォーム２２から容易に外れないように有利に構成される。デバイス１０のボタン１４は、ボタン１４がロックデバイス２４と係合するときに、本体１８をプラットフォーム２２から又はプラットフォーム２２に対してロック解除又はロックするためのキーとして機能する。
【００４０】
図５に示すように、ボタン１４の係合部材３０とロックデバイス２４の第１の接合面３８は、ボタン１４の内面３４が接合面３８に隣接するとき、係合部材３０と第１の接合面３８がインターロックする（例えば、噛合い、重なり、係合、嵌合、結合）ように配置される。ボタン１４の内面３４は、図６により詳細に示されている。係合部材３０は、複数のスペース４８（例えば、溝、ノッチ、ディンプルなど）によって分離された複数の突起４４（例えば、歯、リブ、スタッド、ペグなど）を含み、それらは、接続ディスク２８の接合面３８に対応する所定のパターン又は構成で配置することができる。この例では、係合部材３０は、複数の開口部又は溝４８によって等間隔にリング状に配置された複数の突出歯４４を含む。係合部材３０は、長手方向軸Ａの周りに配置され、ボタン１４が接続ディスク２８の第１の接合面３８と容易に噛み合うことができるように対称的である。
【００４１】
図７は、接続ディスク２８の接合面３８が、複数の溝５４（例えば、スペース、ノッチ、ディンプルなど）によって均一に離間された突出歯５２（例えば、突起、リブ、スタッド、ペグなど）のパターンで配置されることを示す。第１の接合面３８は、ボタン１４が接続ディスク２８の第１の接合面３８と容易に噛み合うことができるように、長手方向軸Ａに対して対称的である。図３〜５に戻ると、接続ディスク２８の複数の突起５２は整列され、ボタン１４の係合部材３０のスペース４８内に収まるようなサイズである。同様に、複数の溝５４は整列され、ボタン１４の複数の突起４４と整列を収容するようなサイズである。したがって、本体１８が折り畳み構成にあるとき、ボタン１４の複数の突起４４、５２及びロックデバイス２４の接合面３８は、ボタン１４が長手方向軸線Ａに対して回転するときに係合するようにインターロックされ、及び配置される。別の例では、接合面３８及び係合部材３０は、異なるロック構成を介してインターロック又は他の方法で係合する。
【００４２】
図８には、接続ディスク２８の第２の接合面６０が示されている。第２の接合面６０は、平坦領域６２と、平坦領域６２によって囲まれ、ディスク２８の平坦領域６２から軸方向に延伸する突出部分６３とを含む。平坦領域６２は、本体１８の第２の端部４２の内面に対して平らになるように構成され、突出部分６３は、本体１８の孔５８を通って少なくとも部分的に延びるように構成される。平坦領域６２は、ディスク２８がチャンバ５６内に配置されるときに接続ディスク２８が本体１８に対して自由に回転するように、ディスク２８と本体１８との間の摩擦を低減する滑らかな表面を含む。突出部分６３の遠位端６４は、複数の傾斜先端を含む。傾斜先端６４は、ハブ２６と接合するように撓み、屈曲、又は変形するように構成されてもよい。突出部分６３がハブ２６と係合すると、ハブ２６及び接続ディスク２８は、一体のロックデバイス２４として動くように一緒に固定（例えば、溶接、融合など）されてもよい。あるいは、ハブ２６及び接続ディスク２８は、一体的に形成され得る。平坦領域６２とは異なり、遠位端６４は、ハブ２６と摩擦係合するように構成されたテクスチャード加工材料であり得、これにより、接続ディスク２８は、ディスク２８及びハブ２６が係合したときにハブ２６を回転させる。
【００４３】
図９及び１０を参照すると、ハブ２６がより詳細に示されている。ハブ２６は、本体６５と、本体６５から外向きに延びる第１及び第２の放射状ウィング６６及び６８とを含む。ウィング６６及び６８は、本体６５において反対側に配置され、ウィング６６及び６８がプラットフォーム２２と係合するときにウィング６６及び６８が変形（例えば、撓み、屈曲）することができるように、弾性材料であり得る。本体６５は、第１の表面７０と、第１の表面７０の反対側の第２の表面７２とを含む。第１の表面７０は、接続ディスク２８の第２の接合面６０と接合するように構成される。より具体的には、第１の表面７０に形成された開口部７１は、接続ディスク２８の第２の接合面６０の突出部分６３を受容するようなサイズ及び形状である。図１０に示すように、ハブ２６は、ロックデバイス２４がプラットフォーム２２に対して回転するとき、プラットフォーム２２とハブ２６の間の離脱を容易にするために、第２の表面７２に形成された第１及び第２の湾曲ノッチ又はランプ７３、７４を含む。具体的には、ノッチ７３、７４は、ロックデバイス２４が長手方向軸Ａに対して４分の１回転（すなわち、９０度）回転すると、プラットフォーム２２から延びる突起７６、７８に対してスライドするように形成される。第１及び第２のディテント８４、８６は、ハブ２６の第２の表面７２に形成され、ロックデバイス２４がロック構成にあるとき、プラットフォーム２２の第１及び第２の突起７６、７８と係合するように形作られる。別の例では、本体６５の第２の表面７２は、ノッチ７３又は７４を１つだけ有するか、又はノッチを有さなくてもよい。ハブ２６が１つのノッチ７３のみを提供する場合、ノッチ７３と反対側に配置される第２の表面７２の部分は、平坦又は第２の表面７２と同一平面であり得る。この構成は、プラットフォーム２２からの本体１８の取り外しを容易にすることができる。例えば、ロックデバイス２４が回転してプラットフォーム２２とのロック係合から外れると、プラットフォーム９４の突起７６又は７８は、ハブ２６の第２の表面７２を上方にかつプラットフォーム２２から離れるように付勢し得る。
【００４４】
ハブ２６及びプラットフォーム２２は、本体１８をプラットフォーム２２にロックするために回転可能に結合するように配置される。第１及び第２のウィング６６及び６８は変形可能であり、これにより、ロックデバイス２４が非ロック構成からロック構成に移動するときにウィング６６及び６８がプラットフォーム２２の第１及び第２シェルフ８０、８２と係合するとき、それらが元の位置から撓むことができる。ハブ２６の第２の表面７２に形成されたディテント８４、８６は、ロック構成ではプラットフォーム２２と係合するように構成される。具体的には、各ディテント８４、８６は、２つのウィング６６、６８のうちの１つ内に部分的に形成される。第２のシェルフ８２は第１のシェルフ８０と実質的に同様であり、ウィング６８はウィング６６と実質的に同様であるので、以下で説明する第１のシェルフ８０及び第１のウィング６６の詳細は第２のシェルフ８２及び第２ウィング６８にもそれぞれ同様に適用されると理解される。図示の伸縮式デバイス１０では、ロックデバイス２４は２つのウィング６６及び６８を含み、プラットフォーム２２は、ロック部材２４のウィング６６及び６８に対応する２つのシェルフ８０及び８２を含む。しかしながら、別の例示的なデバイスでは、ロックデバイス２４は、１つのウィング又は３つ以上のウィングを有し得、プラットフォーム２２は、同じ数の対応するシェルフを有し得る。同様に、プラットフォーム２２は２つの突起７６、７８を含み、ハブ２６は突起７６、７８に対応する２つのディテント８４、８６を含む。しかしながら、別の例示的なデバイスでは、ハブ２６は、１つのディテント又は３つ以上のディテントを含み得、プラットフォームは、同じ数の対応する突起を有し得る。ハブ２６は、好ましくは、ポリエチレンなどの耐久性のあるプラスチック、又はポリカーボネートなどのより硬質のプラスチックで作られており、射出成形、熱成形、又は圧縮成形によって形成することができるが、代わりに、熱可塑性ポリウレタン、金属、ガラス繊維、又はこれらの材料の任意の組み合わせを含む、他の適切で耐久性のある材料で形成することができ、又はその意図する目的に適した任意の同等の機能性材料で形成することができる。
【００４５】
図３〜５に示されるように、ロックデバイスがロック構成にあるとき、ハブ２６はプラットフォーム２２に結合される。プラットフォーム２２は、外面８７と、面８７から延伸するカラー８８とを含む。カラー８８は、キャビティ９０を画定する。第１のシェルフ８０と反対側に配置される第２のシェルフ８２は、ハブ２６のウィング６６及び６８の１つを摺動可能に受け入れるように構成される。シェルフ８０及び８２は、ロック部材２４がロック構成にあるときに、ロック部材２４のウィング６６及び６８の一方に係合するように構成される。各シェルフ８０及び８２の表面は、ロックデバイス２４がロック構成にあるとき、プラットフォーム２２に対するロックデバイス２４の軸方向の動きを阻止する。ハブ２６が回転すると、第１及び第２のウィング６６及び６８は、シェルフ８０及び８２との係合から外れる。
【００４６】
図１１〜１３に示されるように、第１の例示的なプラットフォーム２２は、カラー８８から半径方向内向きに、プラットフォーム２２に形成されたキャビティ９０内に延びる第１のシェルフ８０を含む。ロックデバイス２４の少なくとも一部は、本体１８をプラットフォーム２２に解放可能に結合するために、プラットフォーム２２のキャビティ内に取り外し可能に配置されるように適合される。キャビティ９０は、図１１に示すように、非円形の開口部９２によって部分的に画定され、ハブ２６の第１及び第２のウィング６６及び６８を収容するように形作られている。特に、開口部９２は、第１及び第２の対向するシェルフ８０、８２、及びカラー８８の内壁１００によって画定される。プラットフォーム２２はまた、カラー８８から窪み、プラットフォーム２２のキャビティ９０の下側境界を画定するベース９４を含む。図１２に示すように、ベース９４は、ベース９４がプラットフォーム２２の取り付け面３９と同一平面になるように、プラットフォーム２２の内壁１００に接続される。ベース９４はまた、キャビティ９０内に軸方向に延在し、それぞれシェルフ８０、８２に対して半径方向内側に離間された第１及び第２の突起７６、７８を含む。ベース９４は、第１及び第２のシェルフ８０、８２から９０度オフセットされた両端で内壁１００に接続されている。ベース９４の対向する両端の上方で、カラー８８は、半径方向に窪んだ内壁１００を画定し、ハブ２６に隙間を提供する。このように構成されることで、ハブ２８の周方向ウィング６６、６８は、シェルフ８０、８２が配置される基準面の下に周方向ウィング６６、６８が来るまで、開口部９２内に摺動することができる。ベース９４は、ハブ２６の第２の表面７２がベース９４と係合するときにベース９４がシェルフ８０、８２に対して下方に撓むことができるように、第１及び第２のシェルフ８０、８２の真下の内壁１００から切り離される。
【００４７】
図１２及び１３に示されるように、プラットフォーム２２の第１のシェルフ８０は、本体１８の第２の端部４２に面する第１の表面１０４と、ロック部材２４が非ロック構成からロック構成に移動するとき、ロック部材２４の第１及び第２のウィング６６及び６８の一方と係合する第２の表面１０８を含む。プラットフォーム２２は、好ましくは、ポリエチレンなどの耐久性のあるプラスチック、又はポリカーボネートなどのより硬質のプラスチックで作られており、射出成形、熱成形、又は圧縮成形によって形成することができるが、代わりに、熱可塑性ポリウレタン、金属、ガラス繊維、又はこれらの材料の任意の組み合わせを含む、他の適切で耐久性のある材料で形成することができ、又はその意図する目的に適した任意の同等の機能性材料で形成することができる。
【００４８】
ロック部材２４をプラットフォーム２２に結合するために、ハブ２６は、開口部９２を通ってプラットフォーム２２のキャビティ９０内に配置され、これによりロック部材２４が第１及び第２のシェルフ８０、８２の下に少なくとも部分的に配置されるようになる。ロック部材２４は、長手方向軸Ａに対して時計回り又は反時計回りのいずれかの方向に回転される（例えば、９０度）。ロック部材２４が回転すると、ロック部材のハブ２６の第１のウィング６６は、ベース９４の突起７６がハブ２６の第２の表面７２のディテント８４にスナップ留めされるまで、プラットフォーム２２のシェルフ８０に対して摺動する。加えて、ハブ２６は、突起７６とディテント８４が係合するまで、ベース９４を偏向又は変位させることができる。ベース９４は、ハブ２６によって係合されたときにベース９４が変形する（例えば、撓み、屈曲）ことができるように、弾性材料であり得る。一例では、ベース９４は、ベース９４に形成された、内壁１００の対向する側面の間で（すなわち、ベース９４がプラットフォーム２２に接続する場所で）延びる可撓性ヒンジに沿って撓み又は屈曲し得る。第２のシェルフ８２は第１のシェルフ８０と実質的に同様であり、第２のウィング６８は第１のウィング６６と実質的に同様であり、第２のディテント８６は第１のディテント８４と実質的に同様であり、第２の突起７８は第１の突起７６と実質的に同様であるので、上記の第１のシェルフ８０、第１のウィング６６、第１のディテント８４、及び第１の突起７６の詳細は、それぞれ第２のシェルフ８２、第２のウィング６８、第２のディテント８６、及び第２の突起７８に等しく適用されると理解される。
【００４９】
ボタン１４と接続ディスク２８、接続ディスク２８とハブ２６、及びハブ２６とプラットフォーム２２の間の接合関係は、任意の数の異なる接合係合を提供するように構成されてもよい。例えば、ハブ２６は、その第２の表面７２から延びる１つ又は複数の突起を含み、プラットフォーム２２のベース９４に形成された１つ又は複数のディテントに結合することができる。別の例では、接続ディスク２８の第２の接合面６０は、本体１８の第２の端部４２に形成された孔５８を通って延びず、代わりに、ハブ２６の第１の表面７０は、本体１８の孔５８内に延びる部分を含み、接続ディスク２２の第２の接合面６０と結合することができる。ロック部材２４とプラットフォーム２２及び／又はデバイス１０の他の構成要素との間の構成又は接合関係の非限定的な例は、２０１８年１月８日出願された米国出願第１５／８６４，４０２、及び２０１８年１月８日に出願された米国出願第１５／８６４，５０９に開示され、その内容全体が、参照により本明細書に組み込まれる。
【００５０】
伸縮式デバイス１０は、ロックデバイス２４の接合面とプラットフォーム２２との間の摩擦力を克服することによって、ロック構成から非ロック構成に移動され得る。一般的には、伸縮式デバイス１０のユーザは、ボタン１４がロックデバイス２４の接続ディスク２８と係合するように伸縮式デバイス１０を折り畳み、次にボタン１４又は本体１８を掴み又は握って、長手方向軸Ａに対して時計回り又は反時計回りのいずれかの方向にボタン１４又は本体１８を４分の１回転（すなわち、９０度）移動、例えば、回転又はねじることにより、ロックデバイス２４をロック構成から非ロック構成に回転させることができる。ボタン１４は、ロックデバイス２４と係合して、ボタン１４及び本体１８と共にロックデバイス２４を回転させる。次に、接続ディスク２８は、回転運動をボタン１４から伝達して、ロックデバイス２４のハブ２６を回転させて、プラットフォーム２２との係合を解除する。ロック部材２４が非ロック構成になると、ユーザは、本体１８をキャビティ９０から離して、プラットフォーム２２の開口部９２を通して引き出し、本体１７をプラットフォーム２２にロックすることができる。
【００５１】
デバイス１０は、接続ディスク２８を本体１８のチャンバ５６内に配置することにより接続ディスク２８を本体１８の第２の端部４２に接続することによって、組み立てることができる。第２の接合面６０は、ハブ２６及び接続ディスク２８が一体のロックデバイス２４を形成するように、ハブ２６の第１の表面７０に結合される。本体１８は、ハブ２６をプラットフォーム２２のキャビティ９０に配置することにより、プラットフォーム２２に結合することができる。
【００５２】
図１４及び１５は、本開示の教示に従って構築された第２の例示的なデバイス２１０を示す。第２の例示的なデバイス２１０は、図１〜５のデバイス１０に類似する。したがって、参照を容易にするために、可能な限り、第２の例示的なデバイス２１０の同じ又は類似の構成要素は、第１の例示的なデバイス１０に関して前述したのと同じ参照番号を保持するが、参照番号は２００ずつ増加される。しかしながら、第２の例示的なデバイス２１０は、以下に記載される点においてデバイス１０とは異なる。
【００５３】
第２の例示的なデバイス２１０のボタン２１４は、非円形の断面形状を有する係合部材２３０を含む。係合部材２３０は、ロックデバイス２２４の第１の接合面２３８に形成された対応する開口部２４８又は窪みと係合するように構成された複数の側面２３１を含む。図１６に示されるように、ロックデバイス２２４の接続ディスク２２８は、デバイス２１０が折り畳み構成にあるときにボタン２１４の係合部材２３０を収容するサイズの非円形形状を有する第１の接合面２３８を含む。本体２１８、プラットフォーム２２２、及びハブ２２６は、図１〜１３を参照して前述した第１の例示的なデバイス１０の本体１８、プラットフォーム２２、及びハブ２６と実質的に同様であり得る。ロックデバイス２２４の接合面２３８及びボタン２１４の係合部材２３０は、ロックデバイス２２４とボタン２１４との間の係合を容易にする任意の数の形状及び構造であり得る。
【００５４】
図１７は、本開示の教示に従って構築された第３の例示的なデバイス４１０を示す。図１７の第３の例示的なデバイス４１０は、第１の例示的な伸縮式デバイス１０のプラットフォーム２２又は第３の例示的な伸縮式デバイス２１０のプラットフォーム２２２がポータブルデバイス４１０のケース本体４１２に一体的に形成されるか、又はそれに永久的に取り付けられる様子の例である。したがって、参照を容易にするために、可能な限り、第３の例示的なデバイス４１０の同じ又は類似の構成要素は、第１の例示的なデバイス１０に関して前述したのと同じ参照番号を保持するが、参照番号は４００ずつ増加される。図１７に示されるように、クイックリリース伸縮式デバイス４１０は、プラットフォーム４２２と一体化された保護ケースであり、これにより、伸縮式デバイス４１０の本体４１８は、一体化されたプラットフォーム４２２を介してケース本体４１２に取り外し可能に結合される。プラットフォーム４２２は、ケース本体４１２の外壁４１６に埋め込まれてもよく、射出成形、熱成形、圧縮成形、又は付加製造技術などの他の技術によってケース本体４１２とともに形成されてもよい。別の例では、ケース本体４１２が最初に形成され、その後、プラットフォーム４２２は、ケース本体４１２とプラットフォーム４２２が分離できないようにケース本体４１２に永久的に固定されてもよい。いくつかの変形では、プラットフォームは、ケース本体に取り付けられた別個のコンポーネントとは対照的に、ケース本体と一体に形成される。
【００５５】
本開示に従って構築された、ポータブルメディアプレーヤなどのポータブルデバイス用のクイックリリース伸縮式デバイス１０、２１０、４１０は、ポータブルデバイスに直接に、又はポータブルデバイスの保護ケースに接続するプラットフォーム２２、２２２、４２２を提供する。プラットフォーム２２、２２２、４２２は、本体１８、２１８、４１８がプラットフォーム２２、２２２、４２２に容易に結合し、プラットフォーム２２、２２２、４２２から取り外すことを可能にし、必要に応じて、異なる本体１８、２１８、４１８に交換することができる。デバイス１０、２１０、４１０の本体１８、２１８、４１８は、プラットフォーム２２、２２２、４２２に取り外し可能に結合されるロックデバイス２４、２２４、４２４（図１７では破線で示されている）に結合される。プラットフォーム２２、２２２、４２２、ロックデバイス２４、２２４、４２４、及びボタン１４、２１４、４１４のそれぞれは、本体１８、２１８、４１８をプラットフォーム２２、２２２、４２２にスライド式にロック及びスライド式に解放することを容易にするために、様々な形状及びサイズで設計されてもよい。
【００５６】
本明細書で提供される図及び説明は、例示のみを目的として、伸縮式デバイスの好ましい例を描写及び説明する。当業者は、前述の議論から、本明細書で説明される原理から逸脱することなく、本明細書で示される構成要素の代替例を使用できることを容易に認識するはずである。したがって、本開示を読めば、当業者は、伸縮式アクセサリのさらに追加の代替の構造的及び機能的設計を理解するはずである。したがって、特定の例及び用途が例示され説明されたが、開示された例は、本明細書に開示されたとおりの構造及び構成要素に限定されないことを理解されたい。当業者には明らかであろう様々な修正、変更、及び変形が、添付の特許請求の範囲で定義される精神及び範囲から逸脱することなく、本明細書で開示される方法及び構成要素の配置、動作、及び詳細において行われ得る。
【図１】
2021501862.tif 000003
【図２】
2021501862.tif 000004
【図３】
2021501862.tif 000005
【図４】
2021501862.tif 000006
【図５】
2021501862.tif 000007
【図６】
2021501862.tif 000008
【図７】
2021501862.tif 000009
【図８】
2021501862.tif 000010
【図９】
2021501862.tif 000011
【図１０】
2021501862.tif 000012
【図１１】
2021501862.tif 000013
【図１２】
2021501862.tif 000014
【図１３】
2021501862.tif 000015
【図１４】
2021501862.tif 000016
【図１５】
2021501862.tif 000017
【図１６】
2021501862.tif 000018
【図１７】
2021501862.tif 000019
【国際調査報告】
2021501862.tif 000020
2021501862.tif 000021
2021501862.tif 000022
2021501862.tif 000023
2021501862.tif 000024